(57)【要約】【課題】  温度変化により発生する電圧変動率を増大させてファンの回転速度の変化範囲を増大させる放熱ファンの複合式温度制御回路は液晶表示装置を提供する。【解決手段】  抵抗器および温度センサ要素を直列に接続して構成する第１の抵抗列２１と、抵抗器および温度センサ要素を直列に接続して構成してから、第１の抵抗列２１の温度センサ要素と並列に接続する第２の抵抗列２２とを備える。第１の抵抗列２１の温度センサ要素により第２の抵抗列２２と並列に接続してから、第１の抵抗列２１の抵抗器と直列させ、温度変化により発生する電圧変動率を増加させて、同じ温度変化においてファンの回転速度の変化範囲を増大させる。【選択図】  図５
2006029278.tif 000002
【特許請求の範囲】
【請求項１】
抵抗器および温度センサ要素を直列に接続して構成する第１の抵抗列と、
抵抗器および温度センサ要素を直列に接続して構成してから、前記第１の抵抗列の前記温度センサ要素と並列に接続する第２の抵抗列と、を備えた放熱ファンの複合式温度制御回路であって、
前記第１の抵抗列の温度センサ要素により前記第２の抵抗列と並列に接続してから、前記第１の抵抗列の抵抗器と直列させ、温度変化により発生する電圧変動率を増加させて、同じ温度変化においてファンの回転速度の変化範囲を増大させることを特徴とする放熱ファンの複合式温度制御回路。
【請求項２】
前記温度センサ要素はサーミスタであることを特徴とする請求項１記載の放熱ファンの複合式温度制御回路。
【請求項３】
前記温度センサ要素の抵抗値は温度に合わせて変化することを特徴とする請求項１記載の放熱ファンの複合式温度制御回路。
【請求項４】
前記第１の抵抗列は定電圧を印加してその動作を駆動することを特徴とする請求項１記載の放熱ファンの複合式温度制御回路。
【請求項５】
抵抗器および温度センサ要素を直列に接続して構成する第１の抵抗列と、
抵抗器および温度センサ要素を直列に接続して構成してから、前記第１の抵抗列の前記温度センサ要素と並列に接続する第２の抵抗列と、
抵抗器および温度センサ要素を直列に接続して構成してから、前記第２の抵抗列の前記温度センサ要素と並列に接続する第３の抵抗列と、を備えた放熱ファンの複合式温度制御回路であって、
前記第１の抵抗列、前記第２の抵抗列および前記第３の抵抗列を直並列に接続し、温度変化により発生する電圧変動率を増加させて、同じ温度変化においてファンの回転速度の変化範囲を増大させることを特徴とする放熱ファンの複合式温度制御回路。
【請求項６】
前記温度センサ要素はサーミスタであることを特徴とする請求項５記載の放熱ファンの複合式温度制御回路。
【請求項７】
前記温度センサ要素の抵抗値は温度に合わせて変化することを特徴とする請求項５記載の放熱ファンの複合式温度制御回路。
【請求項８】
前記第１の抵抗列は定電圧を印加してその動作を駆動することを特徴とする請求項５記載の放熱ファンの複合式温度制御回路。
【請求項９】
少なくとも二つ以上の抵抗列を備え、前記抵抗列は抵抗器および温度センサ要素を直列にして構成され、前記温度センサ要素はもう一つの抵抗列に並列に接続され、少なくとも二つ以上の抵抗列を直並列にすることにより温度変化により発生する電圧変動率を増加することにより、同じ温度変化においてファンの回転速度の変化範囲を増大させることを特徴とする放熱ファンの複合式温度制御回路。
【請求項１０】
前記温度センサ要素はサーミスタであることを特徴とする請求項９記載の放熱ファンの複合式温度制御回路。
【請求項１１】
前記温度センサ要素の抵抗値は温度に合わせて変化することを特徴とする請求項９記載の放熱ファンの複合式温度制御回路。
【発明の詳細な説明】
【技術分野】
【０００１】
本発明は放熱ファンの複合式温度制御回路に関し、特に、二つ或いは二つ以上の抵抗列の組合せを利用し、該抵抗列を抵抗と温度センサ要素との組合せにより構成した後に、該温度センサ要素ともう一つの抵抗列とを並列に接続して複合式温度制御回路を形成する。
【背景技術】
【０００２】
図１に示すように、一般公知の放熱ファンの温度制御回路は、サーミスタ１１２および抵抗器１１１を直列に接続してから定電圧Ｖｃｃを印加すると、サーミスタ１１２により温度が変化するに従って抵抗値も変化し、その出力電圧Ｖｏｕｔは温度変化に伴って変化し、この抵抗器１１１とサーミスタ１１２が分圧された後の出力電圧Ｖｏｕｔの大きさとサーミスタ１１２の特性は関連し、異なる温度変化により分圧された後の出力電圧Ｖｏｕｔの変化傾斜率は固定値にされる。
【０００３】
図２に示すように、サーミスタ１１２は二つが並列に接続された後、抵抗器１１１と直列に接続して分圧された出力電圧Ｖｏｕｔはサーミスタ１１２の抵抗値に伴って変化するが、そのサーミスタ１１２を並列に接続した後の抵抗値は、上述した第１実施例による、並列に接続された後の抵抗値であるサーミスタ１１２の一つの抵抗値に代替されてもよい。
【０００４】
図３に示すように、サーミスタ１１２は二つが直列に接続されてから、抵抗器１１１と直列に接続して分圧された出力電圧Ｖｏｕｔはサーミスタ１１２の抵抗値に伴って変化するが、そのサーミスタ１１２を並列に接続した後の抵抗値は、上述した第１実施例による、直列に接続された後の抵抗値であるサーミスタ１１２の一つの抵抗値に代替されてもよい。
【０００５】
図１から図４に示すのはＴ１からＴ２へ温度が変化する分圧回路が得る出力電圧Ｖｏｕｔであり、数個のサーミスタ１１２が並列或いは直列にされても、その後には抵抗器１１１が直列に接続されなければならず、その出力電圧Ｖｏｕｔの変化斜線ｂ、ｃと、一つのサーミスタ１１２が直列に接続された抵抗値１１１の出力電圧Ｖｏｕｔの変化斜線ａとの変化は特定値であり、その特性と並列或いは直列にされた後のサーミスタ１１２の特性には関連性があり、直列或いは並列に組合せた後の変化傾斜率は固定値であるため出力電圧Ｖｏｕｔの変化範囲を増大させることができず、また同じ温度変化においてファンの回転変化を増大させることができないため、ユーザの要求を満足させることはできなかった。
【発明の開示】
【発明が解決しようとする課題】
【０００６】
本発明の主な目的は、二つ或いは二つ以上の抵抗列の組合せを利用し、該抵抗列が抵抗と温度センサ要素とを組合せた後に、該温度センサ要素ともう一つの抵抗列とを並列に接続し、温度変化により発生する電圧変動率を増大させてファンの回転速度の変化範囲を増大させる複合式温度制御回路を提供することにある。
【課題を解決するための手段】
【０００７】
本発明の放熱ファンの複合式温度制御回路は、抵抗器および温度センサ要素を直列に接続して構成する第１の抵抗列と、抵抗器および温度センサ要素を直列に接続して構成してから、第１の抵抗列の温度センサ要素と並列に接続する第２の抵抗列とを備える。第１の抵抗列の温度センサ要素により第２の抵抗列と並列に接続してから、第１の抵抗列の抵抗器と直列させ、温度変化により発生する電圧変動率を増加させて、同じ温度変化においてファンの回転速度の変化範囲を増大させる。
【発明の効果】
【０００８】
上述したように、本発明は放熱ファンの複合式温度制御回路を提供し、温度変化により発生する電圧変動率を増大させてファンの回転速度の変化範囲を増大させる。
【発明を実施するための最良の形態】
【０００９】
図５は本発明の好適な第１実施例を示し、図が示すように第１の抵抗列２１は第１の抵抗器２１１および第１の温度センサ要素２１２を直列に接続して構成され、第２の抵抗列２２は第２の抵抗器２２１および第２の温度センサ要素２２２を直列に接続してから、第２の抵抗列２２および第１の抵抗列２１の第１の温度センサ要素２１２を並列に接続するが、ここで第１および第２の温度センサ要素２１２、２２２はサーミスタである。
【００１０】
第１の抵抗列２１に定電圧Ｖｃｃを印加した後、第１の抵抗器２１１により電圧降下Ｖ１を形成して第２の抵抗列２２へ提供し、第１および第２の温度センサ要素２１２、２２２が異なる温度下で抵抗値が変化するという特性を利用して、電圧降下Ｖ１は第２の抵抗器２２１および第２の温度センサ要素２２２を通して分圧され、出力電圧Ｖｏｕｔを形成してファンの回転速度を制御する。
【００１１】
図６に示すように、温度がＴ１からＴ２へ変化するとき、上述の回路により得られた電圧出力を利用して、その出力電圧Ｖｏｕｔの温度に対する変化傾斜率は、公知のＶ１からＶ２がＶ１からＶ３へ偏移し、その傾斜率の変化は公知のＡ点からＢ点の斜線ＡＢからＡ点からＣ点の斜線ＡＣへ偏移し、その傾斜率の増加は増加温度の変化により発生した電圧変動率を示し、さらにはファンを同様の温度変化においてファン回転速度の変化範囲を増大させる。
【００１２】
図７は本発明の好適な第２実施例を示し、その操作原理は好適な第１実施例と同様であるが、異なる点は次の通りである。第２の抵抗列２２の第２の温度センサ要素２２２を第３の抵抗列２３の第３の抵抗器２３１および第３の温度センサ要素２３２に並列に接続し、第１、第２および第３の温度センサ要素２１２、２２２、２３２はサーミスタであり、第１の抵抗列２１に定電圧Ｖｃｃを印加した後、第１の抵抗器２１１を通して電圧降下Ｖ１を形成して第２の抵抗列２２へ提供し、電圧降下Ｖ１は第２の抵抗器２２１および第２の温度センサ要素２２２を通して第２の参考電圧Ｖ２を形成し、第２の参考電圧Ｖ２が第３の抵抗列２３の第３の抵抗器２３１および第３の温度センサ要素２３２により分圧されて出力電圧Ｖｏｕｔを形成し、ファンの回転速度を制御する。
【００１３】
図８に示すように、温度がＴ１からＴ２へ変化するとき、上述の回路により得られた電圧出力を利用し、その出力電圧Ｖｏｕｔの温度に対する変化傾斜率は、元のＶ１からＶ３をＶ１からＶ４へ偏移させ、その変化傾斜率はＡ点からＣ点の斜線ＡＣからＡ点からＤ点の斜線ＡＤへ偏移させ、その傾斜率の増加は増加温度の変化が発生させた電圧変動率を示し、さらにはファンを同様の温度変化においてファン回転速度の変化範囲を増大させる。
【００１４】
図９および図１０に示すのは、前述した二つの好適な実施例により得られる本発明の少なくとも二つ以上の第１の抵抗列２１の第１の温度センサ要素２１２は第２の抵抗列２２と並列に接続した後、第２の抵抗列２２の第２の温度センサ要素２２２を第３の抵抗列２３に並列に接続させ、さらに第３の抵抗列２３の第３の温度センサ要素２３２は第４の抵抗列２４の第４の抵抗器２４１および第４の温度センサ要素２４２と並列に接続し、出力電圧Ｖｏｕｔの変化が、Ｖ１からＶ４をＶ１からＶ５へ偏移させ、その変化傾斜率はＡ点からＤ点の斜線ＡＤをＡ点からＥ点の斜線ＡＥへ偏移させる。これから類推できるように本発明は複数の抵抗列をこの方式により直並列に接続し、出力電圧Ｖｏｕｔを温度変化の傾斜率に対して増大させ、その温度変化により発生する電圧変動率も増大させると同時に同じ温度変化の下で、ファン回転速度の変化範囲を増大させる。
【００１５】
上で述べたものは、単なる本発明の好適な実施例であり、本発明の上述した方法、形状、構造および装置を変化させたものも、全て本発明の特許請求範囲に含まれるべきである。
【図面の簡単な説明】
【００１６】
【図１】第１の従来技術による放熱ファンの温度制御回路を示す回路図である。
【図２】第２の従来技術による放熱ファンの温度制御回路を示す回路図である。
【図３】第３の従来技術による放熱ファンの温度制御回路を示す回路図である。
【図４】第１から第３の従来技術による放熱ファンの温度制御回路の温度変化および出力電圧の斜線を示す図である。
【図５】本発明の好適な第１実施例を示す回路図である。
【図６】本発明の好適な第１実施例と第１の従来技術による温度変化および出力電圧の斜線を示す図である。
【図７】本発明の好適な第２実施例を示す回路図である。
【図８】本発明の好適な第１、第２実施例と第１の従来技術による温度変化および出力電圧の斜線を示す図である。
【図９】本発明の好適な第３実施例を示す回路図である。
【図１０】本発明の好適な第１、第２および第３実施例と第１の従来技術による温度変化および出力電圧の斜線を示す図である。
【符号の説明】
【００１７】
２１  第１の抵抗列、２１１  第１の抵抗器、２１２  第１の温度センサ要素、２２  第２の抵抗列、２２１  第２の抵抗器、２２２  第２の温度センサ要素、２３  第３の抵抗列、２３１  抵抗器、２３２  第３の温度センサ要素、２４  第４の抵抗列、２４１  第４の抵抗器、２４２  第４の温度センサ要素、Ｖｃｃ  定電圧、Ｖｏｕｔ  出力電圧、Ｖ１  電圧降下、Ｖ２  第２の参考電圧、Ｖ３  第３の参考電圧、ａ  斜線、ｂ  斜線、ｃ  斜線、ＡＢ  斜線、ＡＣ  斜線、ＡＤ  斜線、ＡＥ  斜線
【図１】
2006029278.tif 000003
【図２】
2006029278.tif 000004
【図３】
2006029278.tif 000005
【図４】
2006029278.tif 000006
【図５】
2006029278.tif 000007
【図６】
2006029278.tif 000008
【図７】
2006029278.tif 000009
【図８】
2006029278.tif 000010
【図９】
2006029278.tif 000011
【図１０】
2006029278.tif 000012